(57)【特許請求の範囲】
【請求項１】
全体が板紙で造られた紙製ケース本体ＣＫの内部に、上部が開口された略Ｕ字形状を成すディスクＤＫ用の厚紙製ディスクホルダー１０を収納して装着し、この厚紙製ディスクホルダー１０に対して、当該紙製ケース本体ＣＫの一端に設けられた開口部を通して、ディスクＤＫを出し入れ可能に構成して成るディスク収納ケースであって、
上記の厚紙製ディスクホルダー１０が、一端にディスク挿入口を開口した略Ｕ字形状のディスク嵌込用のポケット部１０Ｈを切欠又は打抜き形成して成る表面台紙１０Ｃと、この表面台紙１０Ｃと同じ外形形状を成し、且つ、当該表面台紙１０Ｃの裏面側に中間台紙１０Ｂを介して接着されると共に、上記表面台紙１０Ｃのディスク嵌込穴よりも若干小さな相似形状以外の任意形状を成すポケット部１０Ｈが切欠又は打抜き形成された基板台紙１０Ａとによって構成されていて、
上記表面台紙１０Ｃのポケット部１０Ｈの裏面側より内方向に突出する上記基板台紙１０Ａに設けられているポケット部１０Ｈの内側縁が、上記表面台紙１０Ｃのポケット部１０Ｈに嵌込まれるディスクＤＫの外周縁を外側から支えるようにガイドして、当該ディスクＤＫの記録面を前記紙製ケース本体ＣＫの内側面から離間させるための、顎状ガイド突片１０Ｘとしての機能を発揮するように構成し、
且つ、前記紙製ケース本体ＣＫを、全体が矩形状若しくは正方形状の四角形に形成し、この紙製ケース本体ＣＫを縦横４等分した計４枚の板紙片１，２，３，４に分割形成して、これ等４分割した第１、第２、第３，及び第４の板紙片１，２，３，４のうち、左右横方向に連続する一側の第１及び第２の板紙片１，２の間の境界部分を背板５と成し、他側の第３及び第４の板紙片３，４の境界部分を切欠部７と成すと共に、
折り目線６を介して上下縦方向に連続する上記第１と第３の板紙片１，３のうち、いずれか一方の板紙片１又は３の内側面１Ｂ又は３Ｂに、全体が上側部を開口した平面視が略Ｕ字形状を成す厚紙製ディスクホルダー１０を接着し、且つ、いずれか他方の板紙片３又は１の内側接着面を、上記厚紙製ディスクホルダー１０の表面接着部に接着することにより、上記一方の板紙片１，３の間に平面視が略Ｕ字形状のポケット部１０Ｈを有するディスク収納部ＣＫＨを設ける一方、
折り目線８を介して上下縦方向に連続する上記第２及び第４の板紙片２，４の内側面２Ｂ，４Ｂ同士を、上記折り目線８で折り重ねて一体に接着することにより、上記紙製ケース本体ＣＫの一側部に、上記背板５を介して上記２枚の板紙片２，４から成るディスク保護用の表紙板ＴＳを連設せしめたことを特徴とするディスク収納ケース。
【請求項２】
前記厚紙製ディスクホルダー１０が、左右両側にガイド柱１０Ｔ，１０Ｔを並設し、これ等両ガイド柱１０Ｔ，１０Ｔに連設して平面視が略Ｕ字形状のポケット部１０Ｈを備えたホルダー部を設けると共に、上記両ガイド柱１０Ｔ，１０Ｔ及びポケット部１０Ｈの各内側縁には、厚紙製ディスクホルダー１０内に差し込まれて来るディスクＤＫの外周縁を下から支えて、差し込まれたディスクＤＫをポケット部１０Ｈへガイドすると共に、ディスクＤＫの記録面を前記第１の板紙片１の内側面から離間させて保護するための顎状ガイド突片１０Ｘが、突設されていることを特徴とする請求項１に記載のディスク収納ケース。
【請求項３】
前記左右両側のガイド柱１０Ｔ，１０Ｔの相対向する内側面に、これ等ガイド柱１０Ｔ，１０Ｔの前記顎状ガイド突片１０Ｘの上面に突出させた状態にて、これ等両ガイド突片１０Ｘ，１０Ｘにガイドされて差し込まれて来るディスクＤＫの前記ポケット部１０Ｈへの嵌め込みは可能にするが、当該ポケット部１０Ｈへ嵌め込まれたディスクＤＫの自然抜け出しを防止するための突出部１０Ｖ．１０Ｖが突設されていることを特徴とする請求項２に記載のディスク収納ケース。
【請求項４】
前記左右両側のガイド柱１０Ｔ，１０Ｔを含む厚紙製ディスクホルダー１０の全体を、複数枚の板紙１，２，３，４を重ねて接着することによって構成すると共に、これ等重ねた板紙１，２，３，４のうち、最も底面側に位置する板紙４の内側縁を、他の板紙の内側縁よりも外側に突出させることにより、平面視が略Ｕ字形状に形成された厚紙製ディスクホルダー１０の内側縁に、前記顎状ガイド突片１０Ｘが突設されていることを特徴とする請求項２に記載のディスク収納ケース。
【請求項５】
複数枚が重ねて接着された板紙１，２，３，４のうち、最も底面側に位置する板紙４を除く他の板紙１，２，３の一方又は両方の内側縁に、前記ディスクＤＫの自然抜け出しを防止するための突出部１０Ｖが設けられていることを特徴とする請求項３及び４に記載のディスク収納ケース。
【発明の詳細な説明】
【技術分野】
【０００１】
本発明は、例えばコンパクトディスク（ＣＤ）やＭＤ、或いは、ＤＶＤといった各種メディアディスク（以下単にディスクと略称する）の収納に用いて好適なディスク収納ケースに関するものである。
【背景技術】
【０００２】
例えばＣＤ等のディスクを収納するためのケースとして、当初は、上下のケース体を開閉可能に連結して成るプラスチック製のケースを、紙板に貼り付けたものが一般に使用されていたが、この様にプラスチック製のケースを使用した場合、形状やデザイン等に個性を持たせる目的で、特殊な形状や模様を施したケースを製作すると、その都度、その成形用金型の設計や製作等に多大なコストが掛かってしまって、採算がとれない問題があるため、実用に供し得なかった。
【０００３】
そこで、ケースの低コスト化を図るために、例えば、特許文献１に見られるように、全体を略箱型に形成した紙製ケースの内部に、同じく紙製のトレイを出し入れ自在に構成したものや、特許文献２に見られるように、単なる封筒型の紙製又は不織布製のケースにディスクを入れるもの等が開発された。
【先行技術文献】
【特許文献】
【０００４】
【特許文献１】実用新案登録第３０６５３６２号公報
【特許文献２】特開平１０−８６５７２号公報
【発明の概要】
【発明が解決しようとする課題】
【０００５】
しかし、上記特許文献１に記載の如き箱型の紙製ケースは、全体が紙ケース１と、芯板部３と、ディスクホルダー４、及び、案内書ホルダー５の計４つの部材から構成され、且つ、製造の際に折り曲げが必要な箇所や、接着用の糊代、或いは、印刷面などが数多く存在すると共に、特に、ディスクを保持するディスクホルダーに関しては、立体的な形状を保つために、各糊代を糊付けする必要があることから、製造と組立てに手間と時間、及び、費用が多くかかって、紙製でありながら、製造コストが頗る高くなる問題があった。
【０００６】
また、上記特許文献２に記載されている封筒型のディスク収納袋の場合は、製造コストが安い反面、ケースの開口部からディスクが落下して、ディスクが損傷してしまう場合があり、更には、紙製ケース自体にディスクを外圧から守るだけの充分な強度が無いため、ディスクが破損しやすい、ディスクの記録面が紙製ケースの面に直に接触して、記録面を安全に保護することができない、といった多数の問題を有していた。
【０００７】
そこで、本発明の技術的課題は、組立てが簡単で、製造コストの低減化を図ることができると共に、ディスクを確実に保持して、記録面を安全に保護することができる機能を備えたディスク収納ケースを提供することにある。
【課題を解決するための手段】
【０００８】
（１）  上記の技術的課題を解決するために、本発明の請求項１に係るディスク収納ケースは、全体が板紙で造られた紙製ケース本体の内部に、上部が開口された略Ｕ字形状を成すディスク用の厚紙製ディスクホルダーを収納して接着し、この厚紙製ディスクホルダーに対して、当該紙製ケース本体に設けられた開口部を通して、ディスクを出し入れ可能に構成して成るディスク収納ケースであって、
上記の厚紙製ディスクホルダーが、一端にディスク挿入口を開口した略Ｕ字形状のディスク嵌込用のポケット部を切欠又は打抜き形成して成る表面台紙と、この表面台紙と同じ外形形状を成し、且つ、当該表面台紙の裏面側に中間台紙を介して接着されると共に、上記表面台紙のディスク嵌込穴よりも若干小さな相似形状以外の任意形状を成すポケット部が切欠又は打抜き形成された基板台紙とによって構成されていて、
上記表面台紙のポケット部の裏面側より内方向に突出する上記基板台紙に設けられているポケット部の内側縁が、上記表面台紙のポケット部に嵌込まれるディスクの外周縁を外側から支えるようにガイドして、当該ディスクの記録面を前記紙製ケース本体の内側面から離間させるための、顎状ガイド突片としての機能を発揮するように構成し、
且つ、前記紙製ケース本体を、全体が矩形状若しくは正方形状の四角形に形成し、この紙製ケース本体を縦横４等分した計４枚の板紙片に分割形成して、これ等４分割した第１、第２、第３，及び第４の板紙片のうち、左右横方向に連続する一側の第１及び第２の板紙片の間の境界部分を背板と成し、他側の第３及び第４の板紙片の境界部分を切欠部と成すと共に、折り目線を介して上下縦方向に連続する上記第１と第３の板紙片のうち、いずれか一方の板紙片の内側面に、全体が上側部を開口した平面視が略Ｕ字形状を成す前記厚紙製ディスクホルダーを接着し、且つ、いずれか他方の板紙片の内側接着面を、上記厚紙製ディスクホルダーの表面接着部に接着することにより、上記一方の板紙片の間に平面視が略Ｕ字形状のポケット部を有するディスク収納部を設ける一方、折り目線を介して上下縦方向に連続する上記第２及び第４の板紙片の内側面同士を、上記折り目線で折り重ねて一体に接着することにより、上記紙製ケース本体の一側部に、上記背板を介して上記２枚の板紙片から成るディスク保護用の表紙板を連設せしめたことを特徴としている。
【０００９】
（２）  また、本発明の請求項２に係るディスク収納ケースは、前記厚紙製ディスクホルダーが、左右両側にガイド柱を並設し、これ等両ガイド柱に連設して平面視が略Ｕ字形状のポケット部を備えたホルダー部を設けると共に、上記両ガイド柱を含むポケット部の各内側縁には、厚紙製ディスクホルダー内に差し込まれて来るディスクの外周縁を外側から支えて、差し込まれたディスクをポケット部へガイドすると共に、ディスクの記録面を前記第１の板紙片の内側面から離間させて保護するための前記顎状ガイド突片が、突設されていることを特徴としている。
【００１０】
（３）  また、本発明の請求項３に係るディスク収納ケースは、前記左右両側のガイド柱の相対向する内側面に、これ等ガイド柱の前記顎状ガイド突片の上面に突出させた状態にて、上記両ガイド突片にガイドされて差し込まれて来るディスクの前記ポケット部への嵌め込みは可能にするが、当該ポケット部へ嵌め込まれたディスクの自然抜け出しを防止するための突出部が突設されていることを特徴としている。
【００１１】
（４）  また、本発明の請求項４に係るディスク収納ケースは、前記左右両側のガイド柱を含む厚紙製ディスクホルダーの全体を、複数枚の板紙を重ねて接着することによって構成すると共に、これ等重ねた板紙のうち、最も底面側に位置する板紙の内側縁を、他の板紙の内側縁よりも外側に突出させることにより、平面視が略Ｕ字形状に形成された厚紙製ディスクホルダーの内側縁に、前記顎状ガイド突片が突設されていることを特徴としている。
【００１２】
（５）  更に、本発明の請求項５に係るディスク収納ケースは、複数枚が重ねて接着された板紙のうち、最も底面側に位置する板紙を除く他の板紙の一方又は両方の内側縁に、前記ディスクの自然抜け出しを防止するための突出部が設けられていることを特徴としている。
【００１３】
上記（１）で述べた請求項１に記載のディスク収納ケースによれば、ケース本体の内部に厚紙製ディスクホルダーを接着することにより、ディスク収納用のポケット部が構成されるため、製造と組立てが頗る簡単で、極めて安いコストにてディスク収納ケースを造ることができる。また、厚紙製ディスクホルダーは、その周囲全体が、各種印刷が施されているケース本体によってカバーされるため、当該厚紙製ディスクホルダーに対してわざわざ装飾用の印刷を施す必要が無く、その分、製造コストを安くすることができると共に、印刷が不必要な点から、他のケース本体にもそのまま広範囲に使用できる汎用性も備えている。
【００１４】
また、上記（１）で述べた請求項１に記載のディスク収納ケースによれば、ディスクを収納部内に収納した紙製ケース本体は、その前面（表面）が２枚の板紙片を接着して構成した表紙板によってカバーされるため、外部からの衝撃から収容したディスクを安全に守ることができる。また、４分割された各板紙片の全ての印刷面は、１枚の紙製ケース本体の表面（一側面）と成るから、１回の印刷で、ディスク収納ケースの外表面を全て印刷することができるため、比較的低コストでの製造が可能になる。
【００１５】
更に、上記（１）で述べた請求項１に係るディスク収納ケースは、厚紙製ディスクホルダーとケース本体が別々に造られているため、予め厚紙製ディスクホルダーを多数製造してストックしておくことにより、多種類のディスク収納ケースに対して適用することを可能にする機能性と、利便性も備えている。
【００１６】
また、上記（１）と（２）で述べた請求項１、２に係る手段によれば、ディスク収納用のポケット部の中に収められたディスクは、顎状ガイド突片の下からの支えによってディスクの記録面を紙製ケース本体を構成する板紙片の内側面から離間させるため、板紙片との接触によってディスク記録面が傷付けられる問題を解消して、ディスクを安全に保持することができる。
【００１７】
また、上記（３）で述べた請求項３に係る手段によれば、両ガイド柱の各顎状ガイド突片に突設されている突出部が、ポケット部に嵌め込まれたディスクの外部への自然抜け出しを止めるため、持ち運び時のディスク抜け出しによる紛失や破損を防止することを可能にする。
【００１８】
更に、上記（４）と（５）で述べた請求項４と５に係る各手段によれば、上述した顎状ガイド突片と突出部を備えた厚紙製ディスクホルダーを、複数枚の板紙を重ねて接着することによって、プラスチック等を使用せずに比較的簡単に、且つ、安いコストで造ることを可能にする。
【発明の効果】
【００１９】
以上述べた次第で、本発明に係るディスク収納ケースによれば、従来のプラスチック製トレイ等を使用せずに、板紙をプレス等で所定の形状に打ち抜き、これを折り曲げて接着することで、収納したディスクとその記録面を安全、確実に保護した状態に格納することができ、而も、印刷も簡単であると共に、特に厚紙製ディスクホルダーは、ケース本体内に収めて接着して使用することから、印刷は不要であるし、予め多数製造してストックしておき、必要に応じて多種類の収納ケースに使用できる優れた利便性と経済性、及び、汎用性を備えるものであって、従って、比較的低コストにて製造可能なディスク収納ケースを、容易に提供できる利点を発揮することができる。
【図面の簡単な説明】
【００２０】
【図１】本発明に係るディスク収納ケースに対してディスクを嵌め込んでいる状態を示した正面斜視図。
【図２Ａ】本発明に係るディスク収納ケースを構成する紙製ケース本体の表面図。
【図２Ｂ】図２Ａに示した紙製ケース本体の裏面図。
【図３】本発明に係るディスク収納ケースの表紙板を開いて内部のディスク嵌め込み状態を示した一部破断正面図。
【図４】図３のＡ−Ａ線に沿った断面図。
【図５】（イ）は厚紙製ディスクホルダーの正面図、（ロ）は（イ）図のＢ−Ｂ線に沿った拡大断面図。
【発明を実施するための形態】
【００２１】
以下に、本発明に係るディスク収納ケースの実施の形態を図面と共に説明すると、図１はディスク収納ケースのディスク収納部ＣＫＨに対して、ＣＤ等のメディアディスク（以下単にディスクＤＫと略称する）を嵌め込んでいる状態を示した正面斜視図であって、図中、符号ＣＫで全体的に示したのは、板紙（厚紙）を所定形状に裁断して折り曲げ、且つ、接着することによって組立てたディスク収納ケースとしての紙製ケース本体で、図２Ａはこの紙製ケース本体ＣＫを構成する板紙体ＣＫＡの表面図、図２Ｂはその裏面図である。
【００２２】
上記板紙体ＣＫＡの全体は、矩形状（長方形状）若しくは正方形状の略四角形に形成され、且つ、この板紙体ＣＫＡは縦横に４等分された計４枚の板紙片１，２，３，４に分割形成されている。そして、これ等４分割された第１、第２、第３、第４の各板紙片１〜４のうち、左右横方向に連続する一側（図面上では上側）の第１及び第２の板紙片１と２の境界部分は、両側に折り目線５Ａ，５Ｂを設けた背板５に成っている。また、他側（図面上では下側）の第３及び第４の板紙片３，４の境界部分は、切欠部７に成っている。
【００２３】
更に、折り目線６を介して上下縦方向に連設された上記第１と第３の各板紙片１，３のうち、第１板紙片１の内側面１Ｂには、図２Ｂに示す如く、全体が上側部を開口した平面視が略Ｕ字形状を成す厚紙製ディスクホルダー１０が接着されている。
【００２４】
次に、図２Ｂにおいて、１１は上記第３板紙片３の内側面３Ｂに、上記第１板紙片１の内側面１Ｂに接着されている上記厚紙製ディスクホルダー１０に対応（対向）させて、同一形状の略Ｕ字形状に設けた接着面であって、上記折り目線６の部分で第１と第３の各板紙片１，３を接面するように中折りして、上記接着面１１を上記厚紙製ディスクホルダー１０の表面台紙１０Ｚに接着させることにより、両板紙片１，３の間に、ディスクＤＫを嵌め込むための断面略上向きのＵ字形状を成すディスク収納部ＣＫＨとしてのポケット部１０Ｈが構成される仕組みになっている。
【００２５】
また、図５（イ）は上記厚紙製ディスクホルダー１０の拡大正面図、図５（ロ）は図５（イ）のＢ−Ｂ線に沿った拡大断面図であって、厚紙製ディスクホルダー１０は、各々平面視が略Ｕ字形状を成す基台、中間台、表面台から成る計３枚の台紙１０Ａ，１０Ｂ，１０Ｃを、図５（ロ）の如く重ねて接着（接合）することによって構成されている。
【００２６】
上記厚紙製ディスクホルダー１０の構成を、図面と共に更に詳しく説明すると、厚紙製ディスクホルダー１０は、一端にディスク挿入口を開口した略Ｕ字形状のディスク嵌込用ポケット部１０Ｈを切欠形成又は打抜き形成した表面台紙１０Ｃと、この表面台紙１０Ｃと同一形状に形成された中間台紙１０Ｂと、これ等表面と中間の各台紙１０Ｃ，１０Ｂと同じ外形を成し、且つ、これ等各台紙１０Ｃ，１０Ｂと一体に三層構造に接着されると共に、上記表面と中間の各台紙１０Ｃ，１０Ｂに形成されているディスク嵌込用ポケット部１０Ｈよりも、若干小さな相似形の略Ｕ字形状、又は、相似形状以外の任意形状（例えば円形或いは四角形等）を成すポケット部１０Ｈが切欠形成又は打抜き形成された基板台紙１０Ａとによって構成されている。
【００２７】
更に図中、１０Ｔ，１０Ｔは平面視が上記略Ｕ字形状を成す厚紙製ディスクホルダー１０の左右のガイド柱（ガイド突片）であって、これ等左右のガイド柱１０Ｔ，１０Ｔから下方に連なる半円弧形状の曲面の全体によって、嵌め込まれるディスクＤＫと略同一の半径を有する、上面開口型の略Ｕ字状ポケット１０Ｈが構成されている。
【００２８】
更に図５において、１０Ｒ，１０Ｒは左右のガイド柱１０Ｔ，１０Ｔの上端内側部分に形成したアール状のガイド面、１０ＸはディスクＤＫの記録面ＤＴを保護するために、前記左右のガイド柱１０Ｔ，１０Ｔからポケット部１０Ｈに至る厚紙製ディスクホルダー１０の内側縁の全縁に、前記基板台紙１０Ａの内側縁を、他の中間台紙１０Ｂ及び表面台紙１０Ｃの内側縁よりも、図５（ロ）の如く内側に若干突出させて構成した顎状ガイド突片であって、この顎状ガイド突片１０Ｘは、上述したように基板台紙１０Ａに形成する略Ｕ字状ポケット１０Ｈを、他の表面台紙１０Ｃ及び中間台紙１０Ｂに形成されている略Ｕ字状ポケット１０Ｈよりも相似形に小さく形成することによって、構成される。
【００２９】
以上の如く構成した厚紙製ディスクホルダー１０は、上述したように印刷が不要で、他の収納ケースにもそのまま利用可能であるから、大量生産による低コスト化を可能にしている。
【００３０】
図５（ロ）において、ＸＨは前記左右のガイド柱１０Ｔ，１０Ｔを介して厚紙製ディスクホルダー１０のディスク収納部ＣＫＨとしてのポケット部１０Ｈに嵌め込まれるディスクＤＫの記録面ＤＴと、この厚紙製ディスクホルダー１０を接着した前記第１板紙片１の内側面１Ｂとの間に、上記顎状ガイド突片１０Ｘの下からの支持によって離間形成される隙間であって、ポケット部１０Ｈに嵌め込まれたディスクＤＫの外周縁を、この顎状ガイド突片１０Ｘが下から支持することにより、記録面ＤＴが保護される仕組みに成っている。
【００３１】
更に図２Ｂと図５（イ）において、１０Ｖ，１０Ｖは上記顎状ガイド突片１０Ｘの通路上に突出するように、上記中間台紙１０Ｂ及び表面台紙１０Ｃのいずれか一方又は両方の内側縁に突出形成された突出部である。これ等の各突出部１０Ｖ，１０Ｖは、図１に示したディスク収納部ＣＫＨ、即ち、上記ポケット部１０ＨへのディスクＤＫの嵌め込みは可能にするが、図５（イ）の如く当該ポケット部１０Ｈに嵌め込まれたディスクＤＫの左右上側の周縁部に当接して、ポケット部１０Ｈ内に収めたディスクＤＫが、自然に抜け出してしまわないように係止する機能を備えている。
【００３２】
尚、図１と図２Ａ、図２Ｂ、並びに、図３と図４において、１Ｈと３Ｈは上述した第１及び第３の各板紙片１，３に略半円状に設けたディスク取り出し用の切欠部、３Ｔは上記第３の板紙片３に設けたディスクＤＫの存在確認用、及び、ディスクＤＫのスライド排出用を兼ねる長孔を示す。
【００３３】
また、図３と図４においてＴＳは、前記第２と第４の各板紙片２，４を、図２Ａに示す折り目線８で中折りして内側面２Ｂ，４Ｂ同士を接着することにより構成した、上記ディスクＤＫの保護板と各種印刷面を兼ねる表紙板を示す。尚、表紙板ＴＳは前述した背板５の部分で紙製ケース本体ＣＫの表面に対して開閉して、ディスクＤＫの保護機能を発揮可能にしている。
【００３４】
以上の如く構成された本発明に係るディスク収納ケースは、上記表紙板ＴＳの表裏両面と、ディスクＤＫを収納する収納部ＣＫＨとしてのポケット部１０Ｈを構成する第１、第３の板紙片１，３の各外側面１Ａ，３Ａ（表面）が、一度に印刷可能な印刷面に成っていて、印刷の手間と印刷代を軽減できるといった、経済性も備えている。
【符号の説明】
【００３５】
ＤＫ          ディスク
ＣＫ          紙製ケース本体
ＣＫＨ        ディスク収納部
ＣＫＡ        板紙体
ＴＳ          表紙板
１，２，３，４        板紙片
１Ａ，２Ａ，３Ａ，４Ａ        外側面（表面）
１Ｂ，２Ｂ，３Ｂ，４Ｂ        内側面（裏面）
５            背板
５Ａ，５Ｂ，６，８            折り目線
７            切欠部
１０          厚紙製ディスクホルダー
１０Ｔ        ガイド柱
１０Ｖ        突出部
１０Ｈ        ポケット部
１０Ｘ        顎状ガイド突片
１０Ａ，１０Ｂ，１０Ｃ        台紙
１０Ａ        基板台紙
１０Ｂ        中間台紙
１０Ｃ        表面台紙
【図１】
0005643562.tif 000002
【図２Ａ】
0005643562.tif 000003
【図２Ｂ】
0005643562.tif 000004
【図３】
0005643562.tif 000005
【図４】
0005643562.tif 000006
【図５】
0005643562.tif 000007